(57)【要約】【課題】  顔の美容法に関しては、さまざまな方法が行われているが、スキンケアーが中心であり、あくまでも現状維持や一時的な回復を期待するものであり、本質的な肌の改善にはなりえないものであった。【解決手段】３０℃以上で炭酸ガス濃度が５００ｐｐｍ以上の高濃度炭酸温水に好ましくは５分以上顔を浸けることにより、皮下の毛細血管の血流が良くなり肌の新陳代謝が活発になる。そして、毎日続けることで皮下の毛細血管が肌に向かって発達すると考えられ、恒久的な肌の改善につながる。この高濃度炭酸温水による顔浴を手軽に、そして水に顔を浸けられない人でも行えるように、口と鼻を塞がないゴーグルに似た形状の容器を顔に装着又は鼻呼吸ができる顔全体に高濃度炭酸泉がいきわたるお面形状の容器を装着しこれら中に高濃度炭酸温水を注入し、顔の表皮が高濃度炭酸温水に直接触れた状態を５分以上保て、仰向けになった状態でも使用できる方法と機器を提案するものである。【選択図】図１
2008132295.tif 000002
【特許請求の範囲】
【請求項１】
顔に液体を収容できる装着容器を付け、該装着容器に溶存炭酸ガス濃度が５００ｐｐｍ以上で湯温が３０℃以上の炭酸温水を収容し、少なくとも３分以上炭酸温水を顔に接触させることを特徴とする炭酸温水による顔の美容方法
【請求項２】
前記炭酸温水は桶などの容器に溜められており、その溜められた炭酸温水をポンプなどで吸い上げて前記装着容器に送り、装着容器から排出される炭酸温水を再び前記桶などの容器に戻すことを特徴とする請求項１に記載の美容方法
【請求項３】
前記炭酸温水は桶などの容器に溜められたお湯を前記装着容器へ送水する途中で、炭酸ガス混合手段により前記お湯に炭酸ガスを溶解することにより生成した炭酸温水で、装着容器から排出された炭酸温水を再び前記桶などの容器に戻すことを特徴とする請求項１に記載の炭酸温水による顔の美容方法
【請求項４】
ヒータなどの加温機を用いて、前記炭酸温水の温度を任意の温度に保つか、任意の温度に加温することを特徴とする請求項１から３に記載の美容方法
【請求項５】
前記炭酸温水にグリセリンやムコ多糖類などの保水性物質および美容液として水溶性ビタミン類やアセチル化ヒアルロン酸、ヒアルロン酸ナトリウム、長白参エキス、薩摩の山人参エキス、阿仙薬エキス、ウスベニアオイエキス、ローズマリーエキス、クエン酸、アスコルビン酸、マイオキシノール、マトリキシルエッセンス、コンドロイチンナトリウム、ＥＧＦ（ヒトオリゴペプチド−１）、ＦＧＦ（ヒトオリゴペプチド−１３）、レチノイン酸、オールトランスレチノイン酸、アロエエキスなどのいずれか１つ以上を添加することを特徴とする請求項１から４に記載の美容方法
【請求項６】
前記炭酸温水に食塩や岩塩を溶解させることを特徴とする請求項１から４に記載の美容方法
【請求項７】
硫化水素塩を含む岩塩または硫化水素塩または硫化水素を用いて、前記炭酸温水に遊離硫化水素を溶解させることを特徴とする請求項１から４に記載の美容方法
【請求項８】
炭酸温水を溜めておく桶などの容器を有し、該炭酸温水を吸い上げるポンプを有し、顔に装着する装着容器を有し、該装着容器の顔に接触する部分に水漏れ防止用のシール部を有し、装着容器に炭酸温水を注入する注入部と炭酸温水を排出する排出部を有し、ポンプで吸い上げた炭酸温水を前記装着容器に送水する送水管路を有し、該送水管路は前記注入部に接続され、装着容器から排出された炭酸温水を桶などの容器に戻す戻し管路を有することを特徴とする炭酸温水による美容機器
【請求項９】
お湯を溜めておく容器を有し、該お湯を吸い上げるポンプを有し、炭酸ガスを供給するボンベを有し、炭酸ガスの圧力を調整する圧力調整器を有し、前記ポンプで吸い上げたお湯と炭酸ガスとを接触混合する混合タンクを有し、炭酸ガスの混合タンクへの供給を遮断する開閉弁を有し、顔に装着する装着容器を有し、該装着容器の顔に接触する部分に水漏れ防止用のシール部を有し、装着容器に炭酸温水を注入する注入部と炭酸温水を排出する排出部を有し、前記混合タンクで生成された炭酸温水を前記装着容器に送水する送水管路を有し、該送水管路は前記注入部に接続され、装着容器の排出部から排出された炭酸温水を桶などの容器に戻す戻し管路を有することを特徴とする炭酸温水による美容機器
【請求項１０】
前記シール部が液体を通さない弾性体でできていることを特徴とする請求項８および９に記載の美容機器
【請求項１１】
前記シール部が内部に気体や液体またはビンガム体（非常に粘度の高い液体と個体の中間体）を封入した物であるか、又は低硬度の発泡ポリウレタンや極低硬度シリコンゴムを用いることを特徴とする請求項８および９に記載の美容機器
【請求項１２】
前記シール部が中空構造であり、ポンプなどで内部に気体を送り込み、該気体の出口が大気中に開放されており、出口の断面積を小さくすることによりシール部の内圧が大気圧よりも高くなるようにしたことを特徴とする請求項８および９に記載の美容機器
【請求項１３】
前記シール部が中空構造であり、ポンプなどにより内部に気体や液体を送り込み、該気体や液体の出口の断面積を小さくすることによりシール部の内圧が大気圧よりも高くなるようにし、前記気体や液体を再びポンプに戻して循環させることを特徴とする請求項８および９に記載の美容機器
【発明の詳細な説明】
【技術分野】
【０００１】  本発明は、温度が３０℃以上で炭酸ガスの含有濃度が５００ｐｐｍ以上になるようにした炭酸温水を顔に長時間接触させることによる顔の美容技術に関するものである。【０００２】  また、本発明は、高濃度の炭酸温水に美容液あるいは塩分や遊離硫化水素を溶解させた温水を顔表面に長時間接触させることによる顔の美容技術に関するものである。【０００３】  さらに、本発明は炭酸温水を顔表面に接触させる際、桶などに入れた炭酸温水に顔を浸けるのではなく、正面を向いた状態あるいは仰向けになった体勢できるようにした顔の美容技術に関するものである。
【背景技術】
【０００４】  従来から、顔の美容に関しては、さまざまな方法が提案されてきた。たとえば、オイルによる顔のマーサージにより血行をよくすると共に栄養分を刷り込む方法である。【０００５】  あるいは、パックなどのように時間をかけて栄養や水分を肌からしみこませる方法がある。また、超音波やスチームなどにより毛穴を広げて毛穴の汚れを取り除く方法などもある。【０００６】  また、蒸しタオル美容法などのように、顔を保温することにより、やはり血行促進と水分補給を促す方法がある。
【発明が解決しようとする課題】
【０００７】  しかし、これらの方法は一時的に血行を良くしたり、栄養や水分を補給することは出来るが、本質的な肌の改善になっているかどうかは疑問が残る。すなわち、摩擦や刺激により良くなった血行は、刺激がなくなるとすぐに元に戻り、外から刷り込んだ栄養分や水分は肌に留まることはなく効果はすぐに消えてしまう。
【０００８】  本質的に肌の改善を行う為には、体が持つ本来の機能である新陳代謝を促進してやることが大切である。言い換えると本質的に血行を良くし、さらには毛細血管自体を肌に向かって発達させることが大切である。
【０００９】  肌の老化は血管から運ばれてくる水分保持力の減少と栄養分の不足である。毛細血管を顔の皮膚表面に向かって発育させて、皮下の血流を増加させることにより、本質的な改善効果が期待できる。
【課題を解決するための手段】
【００１０】  人は酸素を吸い炭酸ガスを吐き出しているが、これは吸った酸素が血液により細胞に運ばれて消費され、代わりに炭酸ガスを細胞から引き取って呼気により体外に排出している。
【００１１】  炭酸ガスが高濃度で溶解した炭酸温水に肌を浸すと、炭酸ガスが皮膚から吸収され、吸収された炭酸ガスは毛細血管に入り、そして炭酸ガスが毛細血管内に増えると、体は炭酸ガスを早く排出しようとして、毛細血管を流れる血液量を増やすという報告がある。
【００１２】  この毛細血管の血行促進により、肌への酸素・水分・栄養の補給が増加され肌本来の機能である新陳代謝が促進される。炭酸温水で肌を浸すのを止めるとすぐに血流量は元に戻るが、この炭酸温水浴を続けることにより、次第に毛細血管自体が皮膚に向かって発達すると報告されている。
【００１３】  本発明は、この炭酸温水浴を顔に対して応用する物である。方法としては顔を温水に浸す方法があるが、息ができないのでスノーケルのような呼吸補助具が必要なことと、水泳が不得意で水に顔を浸けるのが怖い人にとってはなかなか馴染めない方法である。
【００１４】  本発明においては、炭酸温水を収納できる容器を顔に装着し、その容器の中に炭酸温水を注入し、顔表面に炭酸温水が長時間接触する構造とした。そして、鼻と口の部分は逃がして呼吸に支障がない形状としたもの、または、鼻だけが外気と連通する形で顔全体をお面のように覆い、この中に炭酸泉を上下部から下部に流し込むようにしてお面の下部から装着容器への排出量を規制し、しかもお面の内側上部から空気を抜き、顔とお面の間に炭酸泉を充満させるようにした。これにより、顔を炭酸温水に浸けるのではなく、通常姿勢である前を向いた姿勢や仰向けの姿勢でも炭酸温水に顔を浸けているのと同じ状態を作ることが可能となった。
【００１５】  ここで、炭酸温水が肌と接触している間だけ接触している部分の肌直下の毛細血管の血流が良くなるが、炭酸温水との接触を止めたとたん血流は元に戻る為、少なくとも５分以上望ましくは１２分間連続的に炭酸温水に肌が接触していることが重要である。本発明の１つの方法であれば、口と鼻の部分は温水に浸かっていない為、口や鼻で呼吸をすることが可能であり、長時間続けることが可能である。
【００１６】  また、高濃度炭酸温水による美容法は毎日続けることが大切である為、手軽にどこででもできるように、炭酸温水を入れた容器と顔に装着する装着容器と容器から炭酸温水を吸い上げて装着容器へ送水し装着容器から排出された温水を再び容器に戻す循環ユニットを好きな場所に運んで使用できる方法と機器も提案する。
【発明を実施するための最良の形態】
【００１７】  図１および２は本発明における実施例の１つを示す。図１は側面から見た図で図２は正面から見た図である。装着容器１の両側にあるフック２にバンド３を取り付け、シール部材４が顔に密着するように装着容器１をバンド３で顔に押し付けるように固定する。【００１８】  装着容器１には炭酸温水の注入部９が設けられ、送水管路５が注入部９に接続されている。一方、装着容器１には３つの排出部８，１２，１３が設けられており、排出部８，１２，１３には排水管路７、１４、１５がそれぞれ接続されている。排水管路１４は排出部１３で排水管路１５に合流し、排出部８に接続された排水管路７と排水管路１５は合流部１０で排水管路１１に合流される。【００１９】  ここで、桶などの容器（図示せず）に入れられた炭酸温水はポンプ（図示せず）などにより吸い上げられて、送水管路５を介して注入部９に送られ、注入部９に設けられた注入口６から装着容器１と顔の間に注入される。ここで、注入口６は長穴であってもよいし、複数の穴で構成されていても良い。【００２０】  炭酸温水が装着容器１と顔の間に注入されると、注入された炭酸温水は排出部８と１３から排水されると共に、装着容器１内の空気が排出部１２から排気され装着容器内が炭酸温水で満たされてゆく。そして最終的には排出部１２からも排水される状態になり、装着容器１内は炭酸温水で満たされ、顔の皮膚は常に炭酸温水に接触した状態となる。【００２１】  ここで、注入された炭酸温水が装着容器１と顔の間に溜まらずに全て排出部８と１３から排出されないように、排出部８と１３の内径を僅かに小さくしておくことにより装着容器１と顔の間に炭酸温水が満たされるようになる。【００２２】  この時、シール部材４は液体を通さない弾性体でできており、シール部材４により装着容器１内の炭酸温水が外にこぼれ出すのを防いでいる。したがって、注入された炭酸温水はすべて排水管路１１を通って桶などの容器に戻される。【００２３】  ここで、前記シール部材４は液体を通さない弾性体、例えば低硬度の軟質発泡ポリウレタンや極低硬度のシリコンだけではなく、内部が空洞のビニールや弾性体などでできており、その中に気体や液体あるいはビンガム体（高粘度で液体と固体の中間体）を封入した物でも良い。【００２４】  あるいは内部が空洞のリング状のビニール容器や弾性体などでできており、一方からポンプなどで気体や液体を送り込み、少し断面積を縮小させた出口からその気体や液体を排出し、その排出された気体や液体を前記ポンプに戻して循環する構造でも良く、これらの構造によりシール部材４が弾力を持ち、顔の凹凸になじんで内部の炭酸温水を外に漏らさない構造であれば、特に構造や材質は制限しない。【００２５】  また、桶１０１などから炭酸温水を吸い上げるポンプを停止する機能と排水管路１１を遮へいする機構を設け、装着容器１と顔の間が炭酸温水で満たされた後、ポンプを停止すると共に、排水管路１１を遮へいすることにより装着容器１と顔の間に炭酸温水を留め置き、その状態を５〜１０分保つ機構としても良い。【００２６】  さらに、桶１０１などに溜めた炭酸温水にグリセリンやムコ多糖類などの保水性物質および美容液として水溶性ビタミン類やアセチ���化ヒアルロン酸、ヒアルロン酸ナトリウム、長白参エキス、薩摩の山人参エキス、阿仙薬エキス、ウスベニアオイエキス、ローズマリーエキス、クエン酸、アスコルビン酸、マイオキシノール、マトリキシルエッセンス、コンドロイチン硫酸ナトリウムなどのいずれか１つ以上を添加したり、岩塩や硫化水素を含む岩塩を僅かに溶かして、美容効果を増大させると更に好ましい。【００２７】  以下に本発明において使用する炭酸温水を生成する装置の例を説明する。  図３は  高濃度炭酸温水生成回路の模式図を示す。桶１０１に溜めたお湯をポンプ１０２により、吸い上げ管路１０３を介して吸い上げ、混合タンク１０４に設けられたノズル１０５により混合タンク１０４内の空間１０６に噴射する。【００２８】  また、炭酸ガスは炭酸ガスカートリッジ１０７から圧力調整器１０８で圧力を調整された後、混合タンク１０４に供給される。混合タンク１０４内の空間１０６は炭酸ガスで満たされており、混合タンク１０４内の底部にはノズル１０５により噴射された温水が貯留されるようになっている。【００２９】混合タンク１０４の底部に溜まっている温水は、ノズル１０５により混合タンク１０４内の空間１０６に噴射されることにより空間１０６に満たされた炭酸ガスを吸収し、高濃度の炭酸温水となっている。そして、この溜まった高濃度炭酸温水は混合タンク１０４の底部に接続された戻り管路１０９により桶１０１に戻される。【００３０】  ここで、混合タンク１０４の底部に溜められた高濃度炭酸温水の水位はある所定の範囲に保たれている。この水位を保つ方法を以下に説明する。  混合タンク１０４には圧力調整器１０８により圧力を調整された炭酸ガスが開閉バルブ１１１を介して供給されている。また、混合タンク１０４の底部に接続されている戻り管路１０９にはオリフィスなどの流量調整部１１０が設けられている。さらに混合タンク４には水位を検知できるセンサー１１２、１１３、１１４、１１５が４つ設置されている。【００３１】  流量調整部１１０と炭酸ガスの圧力調整器１０８は、炭酸ガスの開閉バルブ１１１が開いて炭酸ガスが混合タンク１０４に供給されている時は、混合タンク１０４内の水位が徐々に下がり、また、炭酸ガスの開閉バルブ１１１が閉じて炭酸ガスの供給がなくなると、混合タンク１０４内の炭酸ガスがノズル１０５により噴射された温水に吸収され、水位が徐々に上がるようにそれぞれ調整されている。【００３２】  そして、センサー１１４が水位を検知すると炭酸ガスの開閉バルブ１１１を閉じて炭酸ガスの供給を止め、これにより混合タンク１０４内の炭酸ガスが温水に吸収されて水位が徐々に上昇する。そしてセンサー１１３が水位を検知すると開閉バルブ１１１が開いて炭酸ガスを混合タンク１０４内に供給する。これにより混合タンク１０４内の圧力が上がり、水位は徐々に下降する。そして再びセンサー１１４が水位を検知して開閉バルブ１１１を閉じ水位が上昇し始める。この繰り返しにより、混合タンク１０４内の水位は、センサー１１３と１１４の間に保たれる。【００３３】  図４は炭酸温水を生成する装置の外観を示す。装置本体１２０には炭酸ガスカートリッジ１２１が取り付けられている。この炭酸ガスカートリッジ１２１はね���込み式で、工具を使わなくても容易に着脱が出来る構造となっている。装置本体の前面には炭酸温水を溜める桶１０１が装着されている。この桶１０１は図４に示すように、使用時には装置本体から取り外して使用するようになっている。吸い上げ管路１０３と戻り管路１０９は装置本体１２０から出た所で回転自在になっており、先端を桶のお湯に浸けたり逃がしたりすることが出来る。【００３４】  図３と５を用いて、炭酸温水を生成する装置使用時の動作を説明する。まず、図５のように桶１０１を装置本体１２０から外し、桶１０１に給湯器などからお湯を入れる。そして、図５のようにお湯を入れた桶１０１を装置本体１２０の前に置き、吸い上げ管路１０３と戻り管路１０９の先端を桶１０１内のお湯に浸ける。【００３５】  次に、装置本体上部にあるスイッチ１１６を押す。すると、混合タンク１０４に接続された排気管路１１７の途中に設けられた開閉バルブ１１８が開くと共にポンプ１０２が運転される。これにより、桶１０１内のお湯が吸い上げ管路１０３から吸い上げられ、ポンプ１０２を通って混合タンク１０４内にノズル１０５から噴射される。このとき、炭酸ガスの開閉バルブ１１１は閉じた状態にある。【００３６】  混合タンク内の空気は排気管路１１７を通り戻り管路１０９を通って桶１０１に放出される。そして、混合タンク１０４内の空気が完全に抜けて混合タンク１０４内がお湯で満たされたことをセンサー１１２が検知すると開閉バルブ１１８が閉じ、排気管路１１７からの排気が遮断されるとともに、炭酸ガスの開閉バルブ１１１が開き炭酸ガスが混合タンク１０４に供給される。これにより、混合タンク１０４内の水位は徐々に下がり、空間１０６は炭酸ガスだけになる。【００３７】  ノズル１０５から噴射されたお湯は混合タンク１０４内の空間１０６で炭酸ガスと接触して炭酸ガスを吸収して高濃度炭酸温水となり、混合タンク１０４の底部に貯留し、さらに混合タンク１０４内の炭酸ガスの圧力で戻り管路１０９を通って桶１０１に戻される。この循環により桶１０１内のお湯の炭酸ガス濃度が上がってゆく。【００３８】  所定の時間が経過すると、炭酸ガスの開閉バルブ１１１を閉じ、吸い上げ管路１０３から分岐した吸気管路１２３の先端に設けられた開閉バルブ１２４を開く。これにより、吸い上げ管路３に空気が入りポンプ１０２は桶のお湯を吸い上げなくなる。吸気管路から入った空気はポンプ１０２を通って混合タンク１０４内に送られ、混合タンク内の高濃度炭酸温水を全て戻り管路１０９に押し出す。【００３９】  混合タンク１０４内の水位がタンク下部まで下がるとセンサー１１５が水位を検知しポンプの運転を停止して動作を終了する。これら一連の動作により、桶１０１に入れたお湯は全て高濃度炭酸温水となり、装置本体内の高濃度炭酸温水もほとんど桶１０１に戻されて生成を完了する。【００４０】  炭酸温水生成装置本体１２０は必ずしも小さいとは言えないため、家庭においては装置本体１２０を居間のテーブルや寝室に設置しておくことは好ましくない。また、業務用途であっても装置本体１２０ごと持ち運ぶのも良い方法ではない。したがって、桶１０１の部分だけを分離して持ち運べることも重要用件である。【００４１】  混合タンク１０４内の水位を保つ方法として、炭酸ガスの開閉バルブ１１１の開閉ではなく、開閉バルブ１１１は開けたままにしておき、ポンプ１０２の回転数を変えたり、戻り管路１０９に電動式流量調整バルブや開閉バルブ（図示せず）などを設けて、混合タンク１０４への給水量や排水量を調整しても良い。【００４２】  また、炭酸ガスカートリッジ１２１の炭酸ガスが空になると、開閉バルブ１１１が開いても炭酸ガスの圧力によって混合タンク１０４内の高濃度炭酸水を押し出すことが出来なくなり、混合タンク１０４内の水位が下がらなくなる。その場合、開閉バルブ１１１が開いた後、ある時間以上経過してもセンサー１１４が水位を検知しない場合は、炭酸ガスが無くなったと判断して、ポンプ２の運転を停止して警告表示を行う。【００４３】  さらに、吸い上げ管路１０３が桶１０１内のお湯の面から出ている場合やポンプ１０２が動作しない場合、運転開始時においては混合タンク１０４にお湯が送られないため、いつまで経っても混合タンク１０４内の水位が上がらずセンサー１１２が水位を関知しない。その場合も、ある所定時間が経過してもセンサー１１２が水位を検知しない場合は異常としてポンプ１０２の運転を停止して警告表示を行う。【００４４】  また、運転途中に吸い上げ管路１０３が桶１０１のお湯の面から出されたり、ポンプ１０２が動作しなくなった場合も、混合タンク１０４にお湯が供給されなくなる為、開閉バルブ１１１が閉じても混合タンク１０４内の水位は上がらず、徐々に下がってセンサー１１５が水位を検知する。センサー１１５が水位を検知した場合、直ちにポンプ１０２を停止し警告表示を行う。【００４５】  図６は炭酸温水を生成する装置の別の実施例である。図３の実施例に対して、図６においては戻り管路１０９の途中に貯蔵部１１９を設けたものであり、貯蔵部１１９には岩塩や硫化水素を含む塩あるいは硫化水素水を入れ、戻り管路１０９を流れる高濃度炭酸温水に岩塩や硫化水素塩を含む岩塩を溶かし、桶１０１に溜められる高濃度炭酸温水に僅かな塩分や遊離硫化水素を含有させ、美容効果を増大させる実施例である。【００４６】  図７は炭酸温水を生成する装置のもう一つの実施例である。図３および図６では桶１０１に溜めたお湯を吸い上げ管路１０３で吸い上げたが、本実施例では給湯器（図示せず）などの一定の湯温のお湯を供給できる装置から直接お湯を給湯管路１２６を介してポンプ１０２に供給し、混合タンク１０４で生成された高濃度炭酸温水を桶１０１に溜めるものである。【００４７】  本発明においては、使用する炭酸温水は上記実施例で示した装置で作ることに限定しているわけではなく、市販の炭酸水をお湯でうすめて使用しても良いし、まったく別の方法で作った炭酸温水を使用してもかまわない。  さらに上記実施例では炭酸温水生成装置の桶が本体と分離できる構造となっているが、桶が本体と分離できない一体構造であってもかまわない。  また、炭酸ガスはカートリッジにより供給されているが、５リットル以上の炭酸ガスボンベから供給してもかまわない。【００４８】  図８に本発明のさらに別の実施例の模式図を示す。上記の実施例では出来上がった炭酸温水を顔に送水する方法を示したが、図８は単なるお湯を桶１０１に入れ、図３〜７で説明した炭酸温水生成装置と同様の装置で炭酸温水を生成しながら装着容器１に接続された送水管路５に炭酸温水を送水する実施例である。【００４９】  図９はお面型の装着容器１３０の断面形状を示す。炭酸泉を溜めておく装着容器１３０と顔とのシール形態は前記実施例図１や図２に示す物と同じであるが図１及び２においては鼻や口の部分を開放していたが本実施例においては２つの鼻の穴に柔らかい材質例えば軟質シリコンゴム成形品１３２や低硬度の発泡ポリウレタン成形品できたものであり内部に穴１３４が貫通した円錐状のものが装着容器１３０に液密に固着されている。【００５０】  このため装着容器１３０を顔に付けた場合、軽く鼻の穴に円錐形状部分１３１が収まるように押し込めば穴１３４を通して呼吸ができるので安心して５分や１０分顔のお風呂気分を楽しめるのである。又、炭酸泉は送水管路５から装着容器１３０の上部に給水され排水管路７から桶１０１に戻り循環しながら常に炭酸濃度を高めながら顔の炭酸浴美容を行うことができる。この過程で装着容器１３０と顔の間の最初に溜まっている空気は上部にある排出部１２から排水管路１４を通って桶１０１内に排出されるように成っている。【００５１】  なお、装着容器１又は１３０に注入された炭酸温水は排水管路１１を通って桶１０１に戻り、再び炭酸温水生成装置で高濃度炭酸温水にした後に、送水管路５を通って注入口６から装着容器１内部に注入されて循環される。また、吸い上げ管路１０３の先端にはフィルタ１２５が着脱自在に取り付けてあり、装置内部に髪の毛などの異物を吸い込まないようになされている。【００５２】  したがって、図３〜６に示した装置と異なる所は、混合タンク１０４で生成された高濃度炭酸温水が戻り管路１０９を通って桶１０１に戻るのではなく、戻り管路１０９が接続アダプタ１６によって送水管路５に接続されており、混合タンク１０４で生成された高濃度炭酸温水が注入部９に設けられた注入口６を通じて装着容１又は１３０内部に送水されることである。【００５３】  ここで、戻り管路１０９と接続アダプタ１６はねじ１７などで着脱自在に構成されていても良いし、接続アダプタ１６を用いずに両管路を１本の管路として分離できない構成としても良い。また、桶１０１と炭酸温水製造装置が分離できない一体構造となっていてもかまわない。  さらに、吸い上げ管路１０３先端に取り付けられたフィルタは図８にしか記載されていないが、図３〜６の実施例においても取り付けても良い。【００５４】  さらに、上記の装着容器１や炭酸温水を溜めておく桶、あるいは桶１０１や装置１２０にヒーターなどの加温装置を組込んで、炭酸温水の温度低下を防止したり、任意の温度に保つ機能を付加するとさらに良い。
【発明の効果】
【００５５】  従来の美容方ではなかった顔浴を高濃度炭酸温水を使って行う事により、炭酸ガスが肌表面から皮下の毛細血管に入り、これにより毛細血管の血流を促し新陳代謝を活発にすることが出来る。新陳代謝が活発になると肌の細胞への水分や栄養の補給が活発になり、肌本来の美しさを取り戻すことが出来る。また、高濃度炭酸温水による顔浴を続けることにより毛細血管が肌に向かって発達し、恒久的に肌を若返らせることができる。
【００５６】  本発明により手軽に高濃度炭酸温水による顔浴が出来るようになり、毎日続けることが可能になる。また、水に顔をつけることが出来ない人でも高濃度炭酸温水による顔浴を少なくとも５分以上連続して行う事ができるようになる。
【００５７】  また、高濃度炭酸温水だけではなく、付加的にヒヤルロン酸ナトリウムやコンドロイチン硫酸ナトリウムなどの保水性物質、あるいは岩塩によるミネラル豊富な塩分や遊離硫化水素を混ぜることによりさらに効果を上げることが期待できる。
【００５８】  本発明により、女性の永遠の願望である「いつまでも若々しくいたい」という願いを本質的な肌の改善として実現できる。
【図面の簡単な説明】
【００５９】
【図１】本発明の実施例の側面図を示す
【図２】本発明の実施例の正面図を示す
【図３】炭酸温水生成回路の模式図を示す
【図４】炭酸温水生成装置の外観図を示す
【図５】炭酸温水生成装置のもう一つの外観図を示す
【図６】炭酸温水生成回路の別の模式図を示す
【図７】炭酸温水生成回路のもう一つの模式図を示す
【図８】本発明の別の実施例を示す
【図９】本発明における仮面形の実施例で鼻から呼吸できる形状の断面図を示す
【図１０】図９の正面から見た形状とその使用の形態を示す
【符号の説明】
【００６０】１  装着容器  、  ２  フック  、  ３  バンド  、  ４  送水部５  送水管路  、  ６  注入口  、  ７  排水管路８  排出部  、  ９  注入部  、  １０  合流部１１  排水管路  、  １２  排出部  、  １３  排出部１４  排水管路  、  １５  排水管路  、  １６  接続アダプタ１７  ねじ  、  １０１  桶  、  １０２  ポンプ１０３  吸い上げ管路  、  １０４  混合タンク  、  １０５  ノズル１０６  空間  、  １０７  炭酸ガスカートリッジ  、  １０８  圧力調整器１０９  戻り管路  、  １１０  流量調整部１１１  開閉バルブ  、  １１２  センサー  、  １１３  センサー１１４  センサー  、  １１５  センサー  、  １１６  スイッチ１１７  排気管路  、  １１８  開閉バルブ１１９  貯蔵部  、  １２０  装置本体  、  １２１  炭酸ガスカートリッジ１２３  吸気管路  、  １２４  開閉バルブ１２５  フィルタ  、  １２６  給湯管路、  １３０  装着容器  、  １３２  軟質シリコンゴム成形品  、  １３４  穴  、  １３１  円錐形状部分、
【図１】
2008132295.tif 000003
【図２】
2008132295.tif 000004
【図３】
2008132295.tif 000005
【図４】
2008132295.tif 000006
【図５】
2008132295.tif 000007
【図６】
2008132295.tif 000008
【図７】
2008132295.tif 000009
【図８】
2008132295.tif 000010
【図９】
2008132295.tif 000011
【図１０】
2008132295.tif 000012